(57)【要約】【課題】  分解することなく、対象流体を流入するために設けられる開口部に滞留した夾雑物を外部に流出することができる濾過器を提供する。【解決手段】  対象流体を流入するための第１開口部２ａと対象流体を流出するための第２開口部２ｂとを有する本体部２と、本体部２に収容され、通過する対象流体を濾過する濾過部３とを備える濾過器１において、対象流体とは別の流体を本体部２の内部に流入可能に構成されると共に、別の流体を第１開口部２ａから本体部２の外部へ流出可能に構成されることを特徴とする。【選択図】  図７
2011230094.tif 000002
【特許請求の範囲】
【請求項１】
対象流体を流入するための第１開口部と対象流体を流出するための第２開口部とを有する本体部と、本体部に収容され、通過する対象流体を濾過する濾過部とを備える濾過器において、
対象流体とは別の流体を本体部の内部に流入可能に構成されると共に、別の流体を第１開口部から本体部の外部へ流出可能に構成されることを特徴とする濾過器。
【請求項２】
別の流体が対象流体が通過する方向と反対方向にて濾過部を通過するように構成される請求項１に記載の濾過器。
【請求項３】
請求項１又は２に記載の濾過器と、第１開口部に接続される接続管と、接続管に対象流体を流入するための流入管と、接続管から別の流体を流出するための流出管とを備え、接続管が流入管と連通する状態と、接続管が流出管と連通する状態とに切り替え可能に構成されることを特徴とする濾過装置。
【請求項４】
接続管には、流入管と流出管とが接続され、流入管及び流出管には、それぞれ弁が設けられる請求項３に記載の濾過装置。
【発明の詳細な説明】
【技術分野】
【０００１】
本発明は、対象流体を濾過する濾過器とその濾過器を備える濾過装置に関する。
【背景技術】
【０００２】
従来、濾過装置として、図１５に示すように、対象流体を流入して且つ流出することにより対象流体を濾過する濾過器２００を備える濾過装置が知られている。濾過器２００は、筐体である本体部２０１と、本体部２０１の内部に収容され、対象流体が通過する際に、対象流体に混入する夾雑物を対象流体から分離する、即ち、対象流体を濾過する濾過部（例えば、ストレーナ）２０２とを備える。
【０００３】
本体部２０１は、対象流体を流入するための第１入口部２０３と、濾過部２０２で濾過された対象流体を流出するための第１出口部２０４と、対象流体とは別の流体（以下、「逆洗水」という）を流入するための第２入口部２０５と、逆洗水を流出するための第２出口部２０６とを備える。
【０００４】
そして、第１入口部２０３には、第１入口弁２０７を有する第１入口管２０８が接続され、第１出口部２０４には、第１出口弁２０９を有する第１出口管２１０が接続され、第２入口部２０５には、第２入口弁２１１を有する第２入口管２１２が接続され、第２出口部２０６には、第２出口弁２１３を有する第２出口管２１４が接続される。
【０００５】
かかる濾過装置は、対象流体を処理する際には、第１入口弁２０７及び第１出口弁２０９を開け、第２入口弁２１１及び第２出口弁２１３を閉じる。これにより、第１入口管２０８内を流れる上流側からの対象流体が、第１入口部２０３を介して本体部２０１に流入し、濾過部２０２を通過したのち、第１出口部２０４を介して、第１出口管２１０内を流れて下流側へ送られる。
【０００６】
また、濾過装置は、対象流体の処理を続けると、濾過部２０２に付着される夾雑物により濾過機能が低下する。したがって、濾過機能を復旧すべく、濾過部２０２に付着される夾雑物を本体部２０１から排出する、即ち、逆洗を行う。
【０００７】
そして、逆洗を行う際には、濾過装置は、第１入口弁２０７及び第１出口弁２０９を閉じ、第２入口弁２１１及び第２出口弁２１３を開ける。これにより、第２入口管２１２内を流れる逆洗水は、第２入口部２０５を介して本体部２０１に流入し、対象流体が通過する方向と反対方向にて濾過部２０２を通過することにより、濾過部２０２に付着する夾雑物を濾過部２０２から離させ、第２出口部２０６を介して、夾雑物と共に第２出口管２１４内を流れて排出（ブロー）される。
【発明の概要】
【発明が解決しようとする課題】
【０００８】
しかしながら、かかる濾過装置は、例えば、大量の夾雑物を混入した対象流体が流入することにより、夾雑物が第１入口部２０３に滞留することがある。かかる場合、滞留した夾雑物を逆洗により排出することができないため、濾過器２００を分解する必要がある。
【０００９】
さらに、例えば、通常予定されているよりも大きな夾雑物が流入すると、対象流体の流量が略維持された状態で、夾雑物が第１入口部２０３に次第に滞留し、濾過器２００の濾過機能が低下した際には、既に、夾雑物が第１入口管２０８の内部まで詰まっていることがある。こうなると、濾過器２００を分解するだけではなく、第１入口管２０８を第１入口部２０３から取り外す等の広範囲な分解が必要となる。
【００１０】
よって、本発明は、かかる事情に鑑み、分解することなく、対象流体を流入するために設けられる開口部に滞留した夾雑物を外部に流出することができる濾過器、及び、濾過器を分解することなく、対象流体を流入するために設けられる濾過器の開口部に滞留した夾雑物を外部に流出することができる濾過装置を提供することを課題とする。
【課題を解決するための手段】
【００１１】
本発明に係る濾過器は、対象流体を流入するための第１開口部と対象流体を流出するための第２開口部とを有する本体部と、本体部に収容され、通過する対象流体を濾過する濾過部とを備える濾過器において、対象流体とは別の流体を本体部の内部に流入可能に構成されると共に、別の流体を第１開口部から本体部の外部へ流出可能に構成されることを特徴とする。
【００１２】
本発明によれば、対象流体を第１開口部から本体部の内部に流入し、本体部の内部に収容される濾過器を通過する際に対象流体を濾過した後、対象流体を第２開口部から本体部の外部へ流出することができる。さらには、対象流体とは別の流体を本体部の内部に流入した後、別の流体を第１開口部から本体部の外部へ流出することができる。
【００１３】
また、本発明に係る濾過器においては、別の流体が対象流体が通過する方向と反対方向にて濾過部を通過するような構成を採用してもよい。
【００１４】
かかる構成によれば、対象流体が通過される際に濾過部を通過する方向と反対方向にて、別の流体が濾過部を通過して第１開口部から本体部の外部へ流出する。したがって、濾過部に付着した夾雑物が別の流体により濾過部から離されて、別の流体と共に第１開口部から本体部の外部へ流出される。
【００１５】
また、本発明に係る濾過装置は、上記濾過器と、第１開口部に接続される接続管と、接続管に対象流体を流入するための流入管と、接続管から別の流体を流出するための流出管とを備え、接続管が流入管と連通する状態と、接続管が流出管と連通する状態とに切り替え可能に構成されることを特徴とする。
【００１６】
かかる構成によれば、第１開口部に接続される接続管が対象流体を流入するための流入管と連通する状態と、接続管が別の流体を流出するための流出管と連通する状態とに切り替えることができるため、対象流体が流入管及び接続管を介して第１開口部から濾過器の内部に流入する状態と、別の流体が第１開口部から接続管及び流出管を介して濾過器の外部へ流出する状態とを切り替えることができる。
【００１７】
また、本発明に係る濾過装置においては、接続管には、流入管と流出管とが接続され、流入管及び流出管には、それぞれ弁が設けられてもよい。
【００１８】
かかる構成によれば、流入管に設けられる弁を開け、流出管に設けられる弁を閉じることにより、接続管が流入管と連通し、反対に、流出管に設けられる弁を開け、流入管に設けられる弁を閉じることにより、接続管が流出管と連通する。したがって、接続管が流入管と連通する状態と、接続管が流出管と連通する状態とに切り替えることができる
【発明の効果】
【００１９】
以上の如く、本発明に係る濾過器によれば、対象流体とは別の流体を本体部の内部に流入した後、別の流体を第１開口部から本体部の外部へ流出することができるため、分解することなく、対象流体を流入するために設けられる第１開口部に滞留した夾雑物を外部に流出することができるという優れた効果を奏する。
【００２０】
また、本発明に係る濾過装置によれば、対象流体が第１開口部から濾過器の内部に流入する状態と、別の流体が第１開口部から濾過器の外部へ流出する状態とを切り替えることができるため、濾過器を分解することなく、対象流体を流入するために設けられる濾過器の第１開口部に滞留した夾雑物を外部に流出することができる。
【図面の簡単な説明】
【００２１】
【図１】本発明の一実施形態に係る濾過器の全体図であって、（ａ）は正面図、（ｂ）は平面図を示す。
【図２】同実施形態に係る濾過器の全体図であって、（ａ）は図１のＡ−Ａ線における断面図、（ｂ）は図１のＢ−Ｂ線における断面図を示す。
【図３】同実施形態に係る濾過器の全体図であって、（ａ）は図２のＣ−Ｃ線における断面図、（ｂ）は図２のＤ−Ｄ線における断面図を示す。
【図４】同実施形態に係る濾過装置の配管図であって、要部拡大図を示す。
【図５】同実施形態に係る濾過装置の配管図であって、図４のＥ領域における拡大図を示す。
【図６】同実施形態に係る濾過装置の濾過処理状態における、（ａ）は要部拡大配管図、（ｂ）は濾過器の図１のＡ−Ａ線における全体断面図を示す。
【図７】同実施形態に係る濾過装置の逆洗処理状態における、（ａ）は要部拡大配管図、（ｂ）は濾過器の図１のＡ−Ａ線における全体断面図を示す。
【図８】本発明に係る他の実施形態に係る濾過器の全体図であって、（ａ）は正面図、（ｂ）は平面図を示す。
【図９】同実施形態に係る濾過装置の濾過処理状態及び（濾過部の）逆洗処理状態における、（ａ）は要部拡大配管図、（ｂ）は濾過器の全体図で且つ図８のＦ−Ｆ線における断面図を示す。
【図１０】同実施形態に係る濾過装置の濾過処理状態及び（濾過部の）逆洗処理状態における、濾過器の全体図であって、（ａ）は図８のＧ−Ｇ線における断面図、（ｂ）は図８のＨ−Ｈ線における断面図を示す。
【図１１】同実施形態に係る濾過装置の（第１開口部の）逆洗処理状態における、（ａ）は要部拡大配管図、（ｂ）は濾過器の全体図で且つ図８のＧ−Ｇ線における断面図を示す。
【図１２】本発明のさらに他の実施形態に係る濾過装置の濾過処理状態における、（ａ）は要部拡大配管図、（ｂ）は濾過器の全体断面図を示す。
【図１３】同実施形態に係る濾過装置の逆洗処理状態における、（ａ）は要部拡大配管図、（ｂ）は濾過器の全体断面図を示す。
【図１４】本発明のさらに他の実施形態に係る濾過装置のそれぞれ要部拡大配管図を示す。
【図１５】従来における濾過装置の要部拡大配管図を示す。
【発明を実施するための形態】
【００２２】
以下、本発明に係る濾過器及び濾過装置における第１の実施形態について、図１〜図７を参酌して説明する。
【００２３】
図１〜図３に示すように、本実施形態に係る濾過器１は、対象流体を流入するための第１開口部２ａと対象流体を流出するための第２開口部２ｂとを有する本体部２と、本体部２の内部に収容され、通過する対象流体を濾過する濾過部３とを備え、対象流体とは別の流体（以下、「逆洗水」ともいう）を本体部２の内部に流入可能に構成されると共に、逆洗水を第１開口部２ａから本体部２の外部へ流出可能に構成される。
【００２４】
具体的には、濾過器１は、逆洗水が本体部２に設けられる第３開口部２ｃから本体部２の内部に流入し、対象流体が濾過される際に濾過部３を通過する方向と反対方向にて、逆洗水が濾過部３を通過し、さらに、逆洗水が第１開口部２ａから本体部２の外部へ流出するように構成される。
【００２５】
そして、濾過器１は、濾過部３が上下方向を中心として回転可能に構成され、濾過部３を回転させるべく回転手段４を備える。また、濾過器１は、濾過部３で濾過された対象流体を、濾過されていない対象流体から隔離して第２開口部２ｂへ導く通路を内部に有する中空状の隔離部５を備える。さらに、濾過器１は、第３開口部２ｃから本体部２の内部に流入される逆洗水を濾過部３に向けて噴出させる噴出部６を備える。
【００２６】
本体部２は、円柱状に形成され、濾過部３を収容すべく中空状に形成される。また、本体部２は、第１開口部２ａが側面の一方側に設けられ、第２開口部２ｂが側面の他方側に設けられ、第３開口部２ｃが下面に設けられる。なお、第１開口部２ａ及び第２開口部２ｂは、略同じ大きさに形成され、第３開口部２ｃは、第１開口部２ａ及び第２開口部２ｂより小さく形成されている。
【００２７】
濾過部３は、中空状に形成され、一部が開放されて形成される。具体的には、濾過部３は、筒状に形成され、上方が閉塞されて且つ下方が開放されて形成される。そして、濾過部３は、側面に複数の孔（図示しない）が設けられ、外から内へ向けて側面を通過する対象流体から、孔より大きい夾雑物を分離させる、即ち、対象流体を濾過するように構成される。
【００２８】
また、濾過部３は、回転する際に、下端面が隔離部５の上面に押圧し且つ摺接するように構成される。これにより、対象流体が濾過部３の下端面及び隔離部５の上面間から濾過部３の内部に流入するのを防止し、濾過されていない対象流体を濾過部３の内部に流入するのを防止している。
【００２９】
回転手段４は、上下方向に沿って本体部２の内部から外部に亘って延設され、濾過部３に固定される回転軸４ａと、回転軸４ａにおける本体部２の外部に配置される端部に固定されるハンドル４ｂとを備える。これにより、ハンドル４ｂを介して、回転軸４ａが回転することにより、濾過部３が回転するように構成されている。
【００３０】
隔離部５は、円柱状で且つ中空状に形成され、上面に設けられる開口５ａにより内部が濾過部３の内部と連通すると共に、側面に設けられる開口５ｂにより内部が第２開口部２ｂと連通するように形成される。また、隔離部５は、上面が濾過部３の下端面より大きく形成される。
【００３１】
噴出部６は、濾過部３の側面の外側に付着（係止）された夾雑物を濾過部３から離させるべく、濾過部３の側面と対向するように上下方向に沿って延設され、逆洗水を噴出するための噴出口６ａ，…が上下方向に亘って複数設けられている。
【００３２】
そして、噴出部６は、濾過部３と干渉しない程度に近傍に設置され、逆洗水が夾雑物を付勢するまでに損失する圧力を小さくしている。また、噴出部６は、本体部２に対して固定され、濾過部３が回転することにより、濾過部３の側面を全周に亘って逆洗することができる。
【００３３】
また、図４及び図５に示すように、本実施形態に係る濾過器１は、タービン（図示しない）から排気される蒸気を冷却する復水器（図示しない）に、冷却水としての海水を供給するための濾過装置１００に採用されている。なお、本実施形態に係る濾過器１及び濾過装置１００においては、対象流体が海水である。
【００３４】
濾過装置１００は、復水器に対象流体（以下、「海水」ともいう）を送るための第１ポンプ１０１と、第１ポンプ１０１から送られる海水の一部を分岐する分岐部１０２と、分岐された海水を濾過処理する濾過器１と、濾過器１で濾過された海水を軸受用潤滑水として第１ポンプ１０１に送るための第２ポンプ１０３とを備える。
【００３５】
また、濾過装置１００は、第１ポンプ１０１に送られる軸受用潤滑水の流量を検知する流量検知手段（流量センサ）１０４と、流量検知手段１０４により所定量以上の流量が検知されない場合に開放される補給水弁１０５とを備え、補給水弁１０５が開放されると、補給水として上水が軸受用潤滑水として第１ポンプ１０１に供給される。
【００３６】
したがって、濾過装置１００は、通常は、濾過器１で濾過した海水を、第２ポンプ１０３を介して第１ポンプ１０１に供給するが、濾過器１のトラブル等にて第１ポンプ１０１へ送る海水の流量が不足した場合には、上水を第１ポンプ１０１に供給することになる。また、補給水としての上水は、逆洗水（対象流体とは別の流体）としても濾過器１に供給されている。
【００３７】
また、濾過装置１００は、濾過器１と、第１開口部２ａに接続される接続管（本発明に係る接続管であって、以下、「第１接続管」ともいう）１０６と、第１接続管１０６に海水を流入するための流入管１０７と、第１接続管１０６から逆洗水を流出するための流出管１０８とを備え、第１接続管１０６が流入管１０７と連通する状態と、第１接続管１０６が流出管１０８と連通する状態とに切り替え可能に構成される。
【００３８】
具体的には、濾過装置１００は、濾過器１の第１開口部２ａには、第１接続管１０６の一端部が接続され、第１接続管１０６の他端部には、流入管１０７と流出管１０８とが接続され、流入管１０７及び流出管１０８には、それぞれ弁（以下、それぞれ「流入管弁」、「流出管弁」ともいう）１０９，１１０が設けられる。
【００３９】
そして、濾過装置１００は、第２開口部２ｂには、下流側に海水を流出するための第２接続管１１１が接続され、第３開口部２ｃには、逆洗水を流入するための第３接続管１１２が接続され、第２接続管１１１及び第３接続管１１２には、それぞれ弁（以下、それぞれ「第２接続管弁」、「第３接続管弁」ともいう）１１３，１１４が設けられる。なお、濾過装置１００は、濾過器１、各管１０６，１０７，１０８，１１１，１１２、各弁１０９，１１０，１１３，１１４が一対並設されている。
【００４０】
本実施形態に係る濾過器１及び濾過装置１００の構成は以上の通りであり、次に、本実施形態に係る濾過器１及び濾過装置１００の作用について図６〜図７を参酌して説明する。
【００４１】
まず、海水を濾過処理する際には、図６（ａ）に示すように、流入管弁１０９及び第２接続管弁１１３を開けて、流出管弁１０８及び第３接続管弁１１４を閉じる。これにより、上流側から送られてきた海水が流入管１０７及び第１接続管１０６を介して、第１開口部２ａから濾過器１の内部に流入し、濾過器１の内部で濾過処理された後、第２開口部２ｂより濾過器１の外部へ流出し、第２接続管１１１を介して、下流側に送られる（図６（ａ）における実線の流路）。
【００４２】
ここで、濾過器１の内部においては、図６（ｂ）に示すように、第１開口部２ａから流入した海水は、側面から濾過部３の内部に流入する。このとき、濾過部３の側面に設けられる孔より大きい夾雑物は、濾過部３の側面に付着（係止）されることにより海水から分離される。そして、濾過部３にて濾過処理された海水は、隔離部５の上面に設けられる開口５ａから隔離部５の内部に流入し、その後、隔離部５の側面に設けられる開口５ｂから流出し、第２開口部２ｂから外部に流出する。なお、図６（ｂ）における点線は、海水の流路を示している。
【００４３】
次に、夾雑物を排出する（逆洗処理）する際には、図７（ａ）に示すように、流出管弁１１０及び第３接続管弁１１４を開けて、流入管弁１０９及び第２接続管弁１１３を閉じる。これにより、逆洗水が第３接続管１１２を介して、第３開口部２ｃから濾過器１の内部に流入し、濾過器１の内部で逆洗処理された後、第１開口部２ａより濾過器１の外部へ流出し、第１接続管１０６及び流出管１０８を介して、排出（ブロー）される（図７（ａ）における実線の流路）。
【００４４】
ここで、濾過器１の内部においては、図７（ｂ）に示すように、第３開口部２ｃから流入した逆洗水は、噴出部６の噴出口６ａ，…から濾過部３の側面に向けて噴出される。このとき、濾過部３の側面に付着（係止）される夾雑物が逆洗水に付勢されるため、夾雑物が濾過部３の側面から離れる。そして、逆洗水は、夾雑物と共に、第１開口部２ａから外部に流出する。このとき、濾過部３が回転手段４により回転しているため（図７（ｂ）における実線の矢印方向）、濾過部３の全周に亘って付着（係止）される夾雑物が外部に流出する。なお、図７（ｂ）における一点鎖線は、逆洗水の流路を示している。
【００４５】
以上より、本実施形態に係る濾過器１は、逆洗水を本体部２の内部に流入した後、逆洗水を第１開口部２ａから本体部２の外部へ流出することができるため、分解されることなく、海水を流入するために設けられる第１開口部２ａに滞留した夾雑物を外部に流出することができる。
【００４６】
また、本実施形態に係る濾過器１は、海水が通過される際に濾過部３を通過する方向と反対方向にて、逆洗水が濾過部３を通過して、第１開口部２ａから本体部２の外部へ流出するため、濾過部３に付着した夾雑物が逆洗水により濾過部３から離されて、逆洗水と共に第１開口部２ａから本体部２の外部へ流出することができる。
【００４７】
また、本実施形態に係る濾過装置１００は、流入管１０７に設けられる流入管弁１０９を開け、流出管１０８に設けられる流出管弁１１０を閉じることにより、流入管１０７及び第１接続管１０６により、海水が第１開口部２ａから濾過器１の内部に流入することができると共に、流出管弁１１０を開け、流入管弁１０９を閉じることにより、第１接続管１０６及び流出管１０８により、逆洗水が第１開口部２ａから濾過器１の外部へ流出することができる。
【００４８】
したがって、海水が第１開口部２ａから濾過器１の内部に流入する状態と、逆洗水が第１開口部２ａから濾過器１の外部へ流出する状態とを切り替えることができるため、濾過器１を分解することなく、海水を流入するために設けられる濾過器１の第１開口部２ａに滞留した夾雑物を外部に流出することができる。
【００４９】
次に、本発明に係る濾過器及び濾過装置における第２の実施形態について、図８〜図１１を参酌して説明する。なお、第１実施形態に係る濾過器１は、逆洗水が濾過部３を通過した後に第１開口部２ａから流出する構成であるのに対して、第２実施形態に係る濾過器は、逆洗水が濾過部を通過することなく第１開口部から流出する構成である。
【００５０】
図８〜図１１に示すように、本実施形態に係る濾過器１１は、本体部１２の内部に収容され、通過する対象流体を濾過する濾過部１３を備え、本体部１２は、対象流体を流入するための第１開口部１２ａと、対象流体を流出するための第２開口部１２ｂと、対象流体とは別の流体（以下、「第１逆洗水」という）を流入するための第３開口部１２ｃと、対象流体とはさらに別の流体（以下、「第２逆洗水」という）を流入するための第４開口部１２ｄと、第２逆洗水を流出するための第５開口部１２ｅとを備え、第１逆洗水を第１開口部１２ａから本体部１２の外部へ流出可能に構成される。
【００５１】
そして、濾過器１１は、第１実施形態の濾過器１における濾過部３、回転手段４、及び隔離部５と略同様に、上下方向を中心として回転可能に構成される濾過部１３を回転させるべく回転手段１４を備え、さらに、濾過部１３で濾過された対象流体を、濾過されていない対象流体から隔離して第２開口部１２ｂへ導く通路を内部に有する中空状の隔離部１５を備える。
【００５２】
また、濾過器１１は、第３開口部１２ｃから本体部１２の内部に流入される第１逆洗水を第１開口部１２ａに向けて噴出させる第１噴出部１６と、第４開口部１２ｄから本体部１２の内部に流入される第２逆洗水を濾過部１３に向けて噴出させる第２噴出部１７と、第２逆洗水と第２逆洗水により濾過部１３から離される夾雑物とを第５開口部１２ｅへ案内する案内部１８とを備える。
【００５３】
第１噴出部１６には、第１逆洗水を噴出する噴出口１６ａが第１開口部１２ａより小さく形成される。そして、第１噴出部１６は、噴出口１６ａが略円形状に形成され、噴出口１６ａは、略円形状に形成される第１開口部１２ａと略同心となるように配置される。また、第１噴出部１６には、第１逆洗水を噴出する際に噴出口１６ａを開放し、第１逆洗水を噴出しない際に噴出口１６ａを閉塞する蓋状の弁体１６ｂが設けられている。
【００５４】
第２噴出部１７は、第１実施形態の濾過器１における噴出部１６と略同様に、濾過部１３の側面と対向するように上下方向に沿って延設されると共に、濾過部１３と干渉しない程度に近傍に配置され、さらに、逆洗水を噴出するための噴出口１７ａ，…が上下方向に亘って複数設けられている。
【００５５】
案内部１８は、第５開口部１２ｅから濾過部１３の側面に向けて筒状に延設される。そして、案内部１８は、対象流体が濾過部１３にて濾過されるのと同時に、第２逆洗水で濾過部１３を逆洗するのを可能にすべく、濾過部１３側の開口端部１８ａが濾過部１３と干渉しない程度に近傍に配置される。また、案内部１８は、濾過部１３側の開口端部１８ａが第２噴出部１７、より具体的には、噴出口１７ａ，…と対向するように上下方向に沿って延設されている。
【００５６】
また、上記濾過器１１を備える濾過装置１２０においては、第１開口部１２ａには、第１接続管（本発明に係る「接続管」）１２１の一端部が接続され、第１接続管１２１の他端部には、対象流体を流入するための流入管１２２と、第１逆洗水を流出するための流出管１２３とが接続され、流入管１２２には、流入管弁１２４が設けられ、流出管１２３には、流出管弁１２５が設けられる。
【００５７】
そして、濾過装置１２０においては、第２開口部１２ｂには、下流側に対象流体を流出するための第２接続管１２６が接続され、第３開口部１２ｃには、第１逆洗水を流入するための第３接続管１２７が接続され、第２接続管１２６には、第２接続管弁１２８が設けられ、第３接続管１２７には、第３接続管弁１２９が設けられる。
【００５８】
さらに、濾過装置１２０においては、第４開口部１２ｄには、第２逆洗水を流入するための第４接続管１３０が接続され、第５開口部１２ｅには、第２逆洗水を流出するための第５接続管１３１が接続され、第４接続管１３０には、第４接続管弁１３２が設けられ、第５接続管１３１には、第５接続管弁１３３が設けられる。
【００５９】
本実施形態に係る濾過器１１及び濾過装置１２０の構成は以上の通りであり、次に、本実施形態に係る濾過器１１及び濾過装置１２０の作用について説明する。
【００６０】
まず、対象流体を濾過処理すると共に濾過器１３を逆洗処理する際には、図９（ａ）に示すように、流入管弁１２４、第２接続管弁１２８、第４接続管弁１３２、及び第５接続管弁１３３を開けて、流出管弁１２５及び第３接続管弁１２９を閉じる。
【００６１】
これにより、上流側から送られてきた対象流体が流入管１２２及び第１接続管１２１を介して、第１開口部１２ａから濾過器１１の内部に流入し、濾過部１３にて濾過された後、第２開口部１２ｂより濾過器１１の外部へ流出し、第２接続管１２６を介して、下流側に送られると共に、さらに、第２逆洗水が第４接続管１３０を介して、第４開口部１２ｄから濾過器１１の内部に流入し、濾過部１３を逆洗した後、案内部１８を介して第５開口部１２ｅより濾過器１１の外部へ流出し、第５接続管弁１３３を介して、排出（ブロー）される（図９（ａ）における実線の流路）。
【００６２】
ここで、濾過器１１の内部においては、図９（ｂ）及び図１０に示すように、第１開口部１２ａから流入した対象流体は、濾過部１３を通過する際に濾過（混入する夾雑物が分離）され、隔離部１５を介して第２開口部１２ｂから外部に流出する。なお、図９（ｂ）及び図１０における点線は、対象流体の流路を示している。
【００６３】
また、それと同時に、図９（ｂ）及び図１０（ｂ）に示すように、第４開口部１２ｄから流入した第２逆洗水は、第２噴出部１７の噴出口１７ａ，…から濾過部１３の側面に向けて噴出され、濾過部３の側面から離される夾雑物と共に、案内部１８を介して、第５開口部１２ｅから外部に流出する。このとき、濾過部１３が回転手段１４により回転している（図９（ｂ）及び図１０における実線の矢印方向）ため、濾過部１３の全周に亘って逆洗処理を行うことができる。なお、図９（ｂ）及び図１０（ｂ）における一点鎖線は、第２逆洗水の流路を示している。
【００６４】
次に、第１開口部１２ａの逆洗処理する際には、図１１（ａ）に示すように、流入管弁１２４、第２接続管弁１２８、第４接続管弁１３２、及び第５接続管弁１３３を閉じて、流出管弁１２５及び第３接続管弁１２９を開ける。これにより、第１逆洗水が第３接続管１２７を介して、第３開口部１２ｃから濾過器１１の内部に流入した後、第１開口部１２ａより濾過器１１の外部へ流出し、第１接続管１２１及び流出管１２３を介して、排出（ブロー）される（図１１（ａ）における実線の流路）。
【００６５】
ここで、濾過器１１の内部においては、図１１（ｂ）に示すように、第３開口部１２ｃから流入した第１逆洗水は、噴出部１６の噴出口１６ａから第１開口部１２ａに向けて噴出される。このとき、噴出口１６ａを閉塞していた弁体１６ｂは、第１逆洗水に付勢されることにより回動して噴出口１６ａを開放する。そして、第１逆洗水は、例えば、第１開口部１２ａに滞留する夾雑物と共に、第１開口部１２ａから外部に流出する。なお、図１１（ｂ）における一点鎖線は、第１逆洗水の流路を示している。
【００６６】
以上より、本実施形態に係る濾過器１１は、第１逆洗水を第３開口部１２ｃから本体部１２の内部に流入した後、第１開口部１２ａから本体部１２の外部へ流出することができるため、分解されることなく、対象流体を流入するために設けられる第１開口部１２ａに滞留した夾雑物を外部に流出することができる。
【００６７】
また、本実施形態に係る濾過器１１は、第１開口部１２ａに向けて第１逆洗水を噴出する第１噴出部１６とは別に、第４開口部１２ｄを介して流入した第２逆洗水を濾過部１３に向けて噴出する第２噴出部１７と、噴出された第２逆洗水を夾雑物と共に第１開口部１２ａに案内する案内部１８とを備えるため、対象流体を濾過処理すると同時に、濾過部１３の逆洗処理を行うことができる。したがって、濾過部１３において目詰まり等が発生しないため、連続して対象流体を濾過することができる。
【００６８】
なお、本発明に係る濾過器及び濾過装置は、上記した実施の形態に限定されるものではなく、本発明の要旨を逸脱しない範囲内において種々変更を加え得ることは勿論である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００６９】
例えば、上記実施形態に係る濾過器１，１１においては、第３開口部２ｃ，１２ｃから逆洗水を流入する場合を説明したが、かかる場合に限られず、第２開口部から逆洗水を流入する場合でもよい。即ち、逆洗水を流入するための開口部、即ち、第２開口部の他に新たな開口部を設けるのは、必須の構成ではない。
【００７０】
例えば、図１２及び図１３に示すように、濾過器２１は、対象流体を流入するための第１開口部２２ａと対象流体を流出するための第２開口部２２ｂとを有する本体部２２と、本体部２２の内部に収容され、通過する対象流体を濾過する濾過部２３とを備え、逆洗水を第２開口部２２ｂから本体部２２の内部に流入可能に構成されると共に、逆洗水を第１開口部２２ａから本体部２２の外部へ流出可能に構成されてもよい。
【００７１】
また、かかる濾過器２１を備える濾過装置１４０においては、第１開口部２２ａには、第１接続管１４１の一端部が接続され、第１接続管１４１の他端部には、上流側から対象流体を流入するための第１流入管１４２と、逆洗水を流出するための第１流出管１４３とが接続され、第１流入管１４２には、第１流入管弁１４４が設けられ、第１流出管１４３には、第１流出管弁１４５が設けられる。
【００７２】
さらに、濾過装置１４０は、第２開口部２２ｂには、第２接続管１４６の一端部が接続され、第２接続管１４６の他端部には、対象流体を下流側へ流出するための第２流出管１４７と、逆洗水を流入するための第２流入管１４８とが接続され、第２流出管１４７には、第２流出管弁１４９が設けられ、第２流入管１４８には、第２流入管弁１５０が設けられる。
【００７３】
そして、濾過装置１４０は、対象流体を濾過処理する際には、図１２に示すように、第１流入管弁１４４及び第２流出管弁１４９を開け、第１流出管弁１４５及び第２流入管弁１５０を閉じ（図１２（ａ）における実線の流路）、逆洗水にて逆洗処理する際には、図１３に示すように、第１流入管弁１４４及び第２流出管弁１４９を閉じ、第１流出管弁１４５及び第２流入管弁１５０を開ける（図１３（ａ）における実線の流路）。なお、図１２（ｂ）における点線は、対象流体の流路を示し、図１３（ｂ）における一点鎖線は、逆洗水の流路を示す。
【００７４】
また、上記実施形態に係る濾過装置１００，１２０においては、（第１）接続管１０６，１２１に接続される、流入管１０７，１２２及び流出管１０８，１２３にそれぞれ弁１０９，１１０，１２４，１２５が設けられる場合を説明したが、かかる場合に限られない。
【００７５】
例えば、図１４（ａ）に示すように、濾過器３０の第１開口部３０ａに接続管１５１の一端部が接続され、接続管１５１の他端部には、三方弁１５２を介して、対象流体を上流側から流入するための流入管１５３と、逆洗水を排出するための流出管１５４とが接続される場合でもよい。
【００７６】
かかる構成によれば、接続管１５１が流入管１５３と連通する状態と、接続管１５１が流出管１５４と連通する状態とを、三方弁１５２により切り替えることができる。したがって、流入管１５３及び流出管１５４にそれぞれ別個の弁を設ける必要がなく、弁操作のミスや、逆洗できない溜まり部の存在を解消できる。
【００７７】
さらに、例えば、接続管と流入管との間、又は、接続管と流出管との間を一つのフレキシブル管による接続で切り替える場合でもよい。即ち、流入管及び流出管のうち、フレキブル管に接続される一方は、接続管と連通し、フレキシブル管に接続されない他方は、開放される。要するに、濾過装置は、対象流体が第１開口部から濾過器の内部に流入する状態と、別の流体が第１開口部から濾過器の外部へ流出する状態とを切り替え可能に構成されていればよい。
【００７８】
また、上記第１実施形態に係る濾過器１及び濾過装置１００においては、対象流体が海水であり、対象流体とは別の流体、即ち、逆洗水が上水である場合を説明したが、かかる場合に限られない。例えば、対象流体は、海水以外の液体の場合でもよく、さらには、気体、固体、それらの二つ又は三つの混合体である場合でもよい。また、対象流体とは別の流体は、逆洗水（上水）以外の液体の場合でもよく、さらには、気体、固体、それらの二つ又は三つの混合体である場合でもよい。
【００７９】
また、本発明に係る濾過器は、回転可能な濾過部が自動で回転可能に構成されてもよい。例えば、第１実施形態において、ハンドル４ｂに替えて駆動手段（モータ）が設けられることにより、回転軸４ａを介して、濾過部３が自動で回転可能に構成されてもよい。
【００８０】
また、本発明に係る濾過装置は、各バルブの操作を自動に切り替え可能に構成されてもよい。例えば、図１４（ｂ）に示すように、濾過装置１５５は、第１実施形態に係る濾過器１，１を並設し、各濾過器１における、対象流体の入口部（第１開口部）２ａ及び出口部（第２開口部）２ｂ間の圧力差を検出し、対象流体の濾過処理や濾過器１の逆洗処理を制御可能に構成されてもよい。
【００８１】
かかる濾過装置は、例えば、濾過器１の第１開口部２ａの圧力を検知する第１圧力センサ１５６と、濾過器１の第２開口部２ｂの圧力を検知する第２圧力センサ１５７と、第１圧力センサ１５６及び第２圧力センサ１５７で検知する圧力値により、各電動弁（採番しない）の開閉操作を制御する制御部（図示しない）とを備えてもよい。
【符号の説明】
【００８２】
１…濾過器、２…本体部、２ａ…第１開口部、２ｂ…第２開口部、３…濾過部、１００…濾過装置、１０６…（第１）接続管、１０７…流入管、１０８…流出管、１０９…（流入管）弁、１１０…（流出管）弁
【図１】
2011230094.tif 000003
【図２】
2011230094.tif 000004
【図３】
2011230094.tif 000005
【図４】
2011230094.tif 000006
【図５】
2011230094.tif 000007
【図６】
2011230094.tif 000008
【図７】
2011230094.tif 000009
【図８】
2011230094.tif 000010
【図９】
2011230094.tif 000011
【図１０】
2011230094.tif 000012
【図１１】
2011230094.tif 000013
【図１２】
2011230094.tif 000014
【図１３】
2011230094.tif 000015
【図１４】
2011230094.tif 000016
【図１５】
2011230094.tif 000017